(57)【要約】【課題】遊技機用発射装置の球の発射に影響を与え難いようにすることで、該発射を安定して行えるようにする。【解決手段】他からの動力を弾性力として蓄える蓄力機構５２と、該弾性力を瞬発力として用い、杵で球を打ち発射する球発射機構５３とを備える。又、前記蓄力機構５２よりも前記動力の供給源側から駆動力を得て動作し、該球発射機構５３へ球を１つずつ供給する球繰り出し機構５５を備える。【選択図】図１
2007215580.tif 000002
【特許請求の範囲】
【請求項１】
動力の供給源と、該動力を弾性力として蓄える蓄力機構と、該弾性力を瞬発力として用い、杵で球を打ち発射する球発射機構とを備えた遊技機用発射装置の球送り装置において、
前記蓄力機構よりも前記動力供給源側から駆動力を得て動作し、該球発射機構へ球を１つずつ供給する球繰り出し機構を備えたことを特徴とする遊技機用発射装置の球送り装置。
【請求項２】
請求項１に記載の遊技機用発射装置の球送り装置において、
前記球繰り出し機構が、次に繰り出す球を取り込む球受入れ部に加えて、更に次に繰り出す球を取り込む球受入れ部を備えたものであることを特徴とする遊技機用発射装置の球送り装置。
【発明の詳細な説明】
【技術分野】
【０００１】
本発明は、遊技機用発射装置の球の発射に影響を与え難いようにすることで、該発射を安定して行えるようにすることができる遊技機用発射装置の球送り装置に関する。
【背景技術】
【０００２】
従来の遊技機用発射装置の球送り装置として、例えば、特許文献１では、その図１８に示されるように、発射モータ１０３が発射カム１１６を駆動し、回動させる。そして、図１９に示されるように、該発射カム１１６の回動は、第２ケーシング部材１０８ｂを反時計回りに回動させて、ばね１０９に付勢力を与えつつ、発射杵１０２を後退させる。該第２ケーシング部材１０８ｂは、略円盤状の部材であり、発射杵１０２と一体になって回動できるように構成されている。
【０００３】
回動する発射カム１１６のカム面に当接するカムフォロワ１１４が、該カム面の最高点に到達すると、該発射カム１１６は該カムフォロワ１１４を一旦カム面から外し、これによって、ばね１０９の付勢力により第２ケーシング部材１０８ｂを戻り回動させ、発射杵１０２も併せて戻り回動させ、遊技球の発射動作が行われる。
【０００４】
ここで、第２ケーシング１０８ｂは、カムフォロワ１１４とは反対側の外周面の一部を外方に延出して、カム状の連動部１１７が形成されている。そして、この連動部１１７は、発射杵１０２の発射動作に連動して、球送り装置７１を作動させる。
【０００５】
【特許文献１】特開２００５−１５２４７７号公報
【発明の開示】
【発明が解決しようとする課題】
【０００６】
図１は、遊技機用発射装置の球送り装置における発射動作の動力伝達、及び球送り動作の動力伝達を模式的に示すブロック図である。
【０００７】
モータ５０で発生される駆動力は、所定の動力伝達機構５１を経て、蓄力機構５２において弾性力として蓄えられる。そして、発射機構５３は、該弾性力を瞬発力として用いて、球を発射する動作を行う。つまり、駆動力は、図１において矢印Ｅ１〜Ｅ３のように伝達されていく。
【０００８】
ここで、例えば前述の特許文献１では、モータ５０が発射モータ１０３、動力伝達機構５１が発射カム１１６や第２ケーシング部材１０８ｂ、蓄力機構５２がばね１０９となっており、発射機構５３は、発射杵１０２を中心とする機構部となっている。
【０００９】
又、球送り装置５５（特許文献１では球送り装置７１）において球を送る動作の駆動力は、従来、モータ５０で発生された駆動力が動力伝達機構５１や蓄力機構５２を経て、つまり図１において矢印ＢやＣで示される経路で得ている。
【００１０】
例えば、特許文献１では、第２ケーシング１０８ｂに形成される連動部１１７が形成されており、前述のような発射動作に伴って回動する第２ケーシング１０８ｂの連動部１１７に当接する連動伝達部材１１８の動作を、球送り装置７１を作動させるための駆動力としている。このようにして、発射杵１０２の発射動作に連動して、球送り装置７１を作動させる。
【００１１】
このため、従来では、球送り装置５５を作動させるための駆動力が、発射機構５３を作動させるための駆動力の負荷になっている。従って、球送り装置５５の状態の変化が、球の発射に影響を与えてしまうという問題があった。
【００１２】
例えば、特許文献１では、連動伝達部材１１８が当接する連動部１１７、つまり第２ケーシング１０８ｂに、球送り部材１２５を駆動させるための負荷がかかる。従って、球皿や球送り装置７１内に貯留している遊技球の量が変わると、球送り部材１２５を駆動させるための負荷が変動するので、第２ケーシング１０８ｂの回転即ち発射杵１０２の回転運動に負荷変動を与える。これにより、発射杵１０２の回転速度が変化し、球飛びが安定しないという問題点があった。
【００１３】
本発明は、前記従来の問題点を解決するべくなされたもので、遊技機用発射装置の球の発射に影響を与え難いようにすることで、該発射を安定して行えるようにすることができる遊技機用発射装置の球送り装置を提供することを課題とする。
【課題を解決するための手段】
【００１４】
本願発明は、動力の供給源と、該動力を弾性力として蓄える蓄力機構と、該弾性力を瞬発力として用い、杵で球を打ち発射する球発射機構とを備えた遊技機用発射装置の球送り装置において、前記蓄力機構よりも前記動力供給源側から駆動力を得て動作し、該球発射機構へ球を１つずつ供給する球繰り出し機構を備えたことにより、前記課題を解決したものである。
【００１５】
又、前記遊技機用発射装置の球送り装置において、前記球繰り出し機構が、次に繰り出す球を取り込む球受入れ部に加えて、更に次に繰り出す球を取り込む球受入れ部も備えたものであることにより、前記課題を解決したものである。
【００１６】
以下、本発明の作用について、簡単に説明する。
【００１７】
本願発明は、前述の図１のように、動力の供給源５０と、該動力を弾性力として蓄える蓄力機構５２と、該弾性力を瞬発力として用い、杵で球を打ち発射する球発射機構５３とを備えた遊技機用発射装置に対して用いる、球送り装置５５となっている。該球送り装置５５において、前記蓄力機構５２よりも前記動力供給源側から、例えば図１においては符号ＡやＢで示される位置、つまり蓄力機構５２における弾性力には、何ら係わらず又影響を与えない動力供給源５０側から駆動力を得て動作し、該球発射機構５３へ球を１つずつ供給する球繰り出し機構５６を備える。
【００１８】
従って、上記の弾性力は、専ら球発射機構５３において、杵で球を打つために用いられる。即ち、球繰り出し機構５６は、同じ動力の供給源５０から駆動力を得るものの、該弾性力に影響を与えることはなく、従って球発射機構５３の動作に影響を与えることはない。
【００１９】
なお、図１に示される動力供給源５０や動力伝達機構５１については、具体的に限定されるものではない。動力供給源５０は、後述する実施形態では発射モータ５となっているが、モータに限定されるものではない。又、動力伝達機構５１についても、タイミングベルトを用いるものでも、ギヤを用いるものでもよく、又一部あるいは全部が、元々遊技機用発射装置に含まれるものであってもよい。
【００２０】
又、蓄力機構５２や球発射機構５３又球送り装置５５について、具体的に限定されるものではない。蓄力機構５２については、モータなどの動力供給源５０から供給される動力を、一定時間かけて、弾性力として蓄えるものであればよく、該弾性力は種々の形態のばねによるものであってもよく、例えば後述する実施形態では捻りコイルばね１９を用いている。球発射機構５３については、該弾性力を瞬発力として用い、杵で球を打ち発射するものであればよく、後述する実施形態では、符号４を回動軸として球を打つ動作をする発射杵３を中心とする機構部が該当する。球送り装置５５は、後述する実施形態では符号２であり、球繰り出し機構５６は、符号２２を回動軸として球送り時に回動する球送り部材２６を中心とする機構である。
【００２１】
そして、該実施形態では、捻りコイルばね１９に係り、発射モータ５側が第１ケーシング部材１６であり、発射杵３側が第２ケーシング部材１７であり、該捻りコイルばね１９は、これら第１ケーシング部材１６及び第２ケーシング部材１７の間で弾性伸縮する。該実施形態の球繰り出し機構における、球送り動作の動力は、第１ケーシング部材１６より発射モータ５側、従って捻りコイルばね１９よりも発射モータ５側になる発射カム２０から、タイミングベルト２３を介在させて供給されている。
【発明の効果】
【００２２】
上述のように、本願発明によれば、遊技機用発射装置の球の発射に影響を与え難いようにすることで、該発射を安定して行えるようにすることができる遊技機用発射装置の球送り装置を提供することができる。
【発明を実施するための最良の形態】
【００２３】
以下、図を用いて本発明の実施の形態を詳細に説明する。
【００２４】
図２は、本願発明が適用された実施形態の遊技機用発射装置の球送り装置を示す、取付けベース部材の表側より見た斜視図である。図３は、本実施形態において、取付けベース部材の裏側より見た斜視図である。図４は、本実施形態の球送り装置付近を拡大した斜視図である。図５は取付けベース部材の表側の分解図であり、図６は同裏側の分解図である。なお、説明上、取付けベース部材１において、発射杵３がある面を表側とし、該面の反対面を裏面とする。
【００２５】
まず、図２において、取付けベース部材１の表側には、発射杵回動軸４を軸として回動し、遊技球を遊技盤上へと打球する発射杵３、遊技球を遊技球発射位置７に保持し、打球された遊技球を遊技盤上へと導く発射レール６、遊技球を順次遊技球発射位置７へと繰り出す球送り装置２が取り付けられている。ハンドル固定台小ギヤ８には、遊技者が発射を操作する発射ハンドルが、図中手前側に取り付けられる。
【００２６】
該球送り装置２には、遊技者が投入し球皿に溜められている遊技球を供給する球投入口１３が上部に設けられ、遊技者が遊技終了後に残った球を回収する目的で内部の遊技球を抜き出すための球抜口１５、又該球抜口１５を閉じるための球抜口蓋１１が側面に設けられ、打球後の発射杵３の動作を止めるための緩衝ゴム１２が別の側面に、遊技球を遊技球発射位置７へと送り出すための球供給口１４が下面に設けられている。なお、図２は球抜口１５が開かれた状態であり、該球抜口１５のやや上方にある回同軸を中心として球抜口蓋１１を該図中時計回りで１２０度程回動させると、該球抜口蓋１１によって球抜口１５が塞がれる。
【００２７】
次に、図３において、発射カム２０の回転軸は、発射モータ５の回転軸と一体になっている。符号４は発射杵３の発射動作の回動軸であり、該発射杵回動軸４及び発射杵３更に第２ケーシング部材１７は一体になっている。符号２２は、球送り装置２の球送り部材の回動軸である。該球送り部材回動軸２２には、タイミングベルト２３によって発射杵回動軸４より、発射モータ５からの駆動力が伝達される。
【００２８】
第１ケーシング部材１６の、発射杵回動軸４を回動軸とする回動の位置は、中間ギヤ２４及びハンドル固定台小ギヤ８を介在させて、該ハンドル固定台小ギヤ８に取り付けられる発射ハンドルにより、遊技者によって操作される。
【００２９】
発射杵回動軸４を軸として回動する第２ケーシング部材１７と、同じく該発射杵回動軸４を軸とするものの、該第２ケーシング部材１７とは独立して回動する第１ケーシング部材１６との間には、捻りコイルばね１９が設けられている。発射モータ５からの動力によって、発射杵回動軸４を軸とする第２ケーシング部材１７の回動位置が図２において時計回りになる程、又、発射ハンドルの操作によって、発射杵回動軸４を軸とする第１ケーシング部材１６の回動位置が図２において反時計回りになる程、該捻りコイルばね１９には、その弾性による大きな反発力が蓄えられることになる。
【００３０】
次に、球送り装置２について説明する。
【００３１】
図４に示すように、該球送り装置２は、球送り部材回動軸２２を回転軸として、球送り部材２６が該図中において時計回りに回転する。該球送り部材２６には、図５に示すように、該回転の円周上に、球がそれぞれ１つ取り込まれる球受入部２７が複数設けられている。該回転よって、球投入口１３から供給される球を１つずつ、１つの球受入部２７に取り込んで、球供給口１４へと繰り出し、遊技球発射位置７へと供給する。そして、該回転は、図３により前述したように、球送り部材回動軸２２をタイミングベルト２３によって駆動することによる。
【００３２】
以下、図７〜図１７を用いて、本実施形態における、打球の発射動作及び球送り動作について説明をする。
【００３３】
ここで、本実施形態の打球の発射動作において、図７及び図８はその第１段階、図９及び図１０は第２段階、図１１及び図１２は第３段階、図１３及び図１４は第４段階、図１５及び図１６は第５段階、図１７は第６段階を示すものである。
【００３４】
まず、図７及び図８は、それぞれ、打球の発射動作の第１段階を示す正面図あるいは裏面図である。
【００３５】
図７及び図８のように、球投入口１３へ遊技球が投入され、球受入部２７ａに遊技球が保持された状態で、発射信号を受けて発射モータ５が回転すると、ベルトプーリと一体で形成した発射カム２０が回転する。該発射カム２０が回転すると、ベルトプーリにかけられたタイミングベルト２３を介して回転運動を伝達し、発射カム２０のベルトプーリの２倍の径のベルトプーリ２１を回転させる。そして、ベルトプーリ２１に球送り部材回動軸２２と一体化して固定した球送り部材２６を、発射カム２０の回転量の１／２回転させる。
【００３６】
この時、発射カム２０がカムころ１８をリフトすることで、カムころ１８と一体に構成した第２ケーシング部材１７と発射杵回動軸４が回転し、発射杵３を捻りコイルばね１９の付勢に抗しつつ発射杵３を後退させる。
【００３７】
なお、図９及び図１０は、それぞれ、打球の発射動作の第２段階を示す正面図あるいは裏面図である。これら図９及び図１０は、発射杵３後退途中の図となっている。
【００３８】
次に、図１１及び図１２は、それぞれ、打球の発射動作の第３段階を示す正面図あるいは裏面図である。
【００３９】
図１１及び図１２のように、発射杵３が所定の位置まで後退すると、カムころ１８が発射カム２０から外れて捻りコイルばね１９の付勢により発射杵３が回動し、図１３及び図１４のように発射杵３が緩衝ゴム１２に当たって止まる。
【００４０】
図１３及び図１４は、それぞれ、打球の発射動作の第４段階を示す正面図あるいは裏面図である。
【００４１】
この時、カムころ１８と発射カム２０は完全に離れているため、球皿や球送り装置２内に貯留している遊技球の量によって球送り部材にかかる負荷が変化しても、発射動作時に発射杵３には全く負荷がかからない。このため、球皿や球送り装置２内に貯留している遊技球の量の影響を受けることなく、発射杵３の発射動作速度は常に一定である。
【００４２】
図１５及び図１６は、それぞれ、打球の発射動作の第５段階を示す正面図あるいは裏面図である。
【００４３】
その後発射杵３が後退する前に、図１５及び図１６のように、球送り部材２６の球受入部２７ａが球供給口１４と一致し、遊技球発射位置７へと保持していた遊技球を送り出す。この時、球受入部２７ｂと球投入口１３側の球経路が一致し、球受入部２７へ遊技球が送り出され、球受入部２７ｂが遊技球を保持する。
【００４４】
図１７は、打球の発射動作の第６段階を示す正面図である。なお、この第６段階の裏面図は、前述の第５段階の図１６と同じである。
【００４５】
そして、発射杵３が図１７のように後退を始め、所定の位置まで後退した後、カムころ１８が発射カム２０から外れて、捻りコイルばね１９の付勢により発射杵３が回動する。又、該回動に伴って、遊技球発射位置７に待機していた遊技球に発射杵３の槌先部材が衝突し、遊技球が遊技領域へ発射される。
【００４６】
次に、図１８及び図１９に基づいて、本実施形態における、球抜き方法について説明する。
【００４７】
図１８は、本実施形態における球抜き方法を説明するための球送り装置の斜視図である。又、図１９は、該球抜き方法を説明するための遊技機用発射機構及び球送り装置の斜視図である。
【００４８】
遊技者が遊技機の操作ハンドルを離すと、回転している発射モータ５は、発射カム２０に一体に形成された凸部が原点センサ２５を通過した時、図７〜１２の状態で停止する。この状態の時、球抜口１５と球受入部２７に保持された遊技球の位置は、ほぼ一致している。
【００４９】
ここで、球受入部２７は、図１８に示す平面２８を、球抜口１５側に向けて傾斜を設けている。このような傾斜の平面２８は、球送り部材２６にあるいずれの球受入部２７にも設けられている。従って、該傾斜によって、発射モータ５を停止させた後、球抜口蓋１１を開けると、２７球受入口に保持されていた遊技球は球抜口１５側に転動し、図１９のように球抜口１５から球皿と球送り装置２内の遊技球を下皿ないし遊技機外へ排出できる。
【００５０】
なお、該傾斜が大きいと、球受入部２７内の遊技球は、球送り部材２６において球抜口１５が設けられている側面の内面に接触する力が大になる。そして、該接触力が過大になると、球送り部材２６の回転に負荷がかかってしまう。従って、該傾斜は、球抜口１５からの球抜きが可能な範囲で、小さく抑えられている。
【００５１】
以上に説明したように、本実施形態によれば、本願発明を効果的に適用することができる。
【００５２】
なお、本実施形態では、発射モータと球送り部材を連動する方法として、タイミングベルトを用いている。しかしながら、このようなものに限定されるものではない。例えば、ギヤを用いて発射モータと球送り部材を連動する方法もある。
【００５３】
又、本実施形態において、球送り部材２６には、２つの球受入部２７が設けられている。しかしながら、この数は限定されるものではなく、例えば、１つであってもよく、２つ以上の複数であってもよい。又、球抜口１５の位置も限定されるものではなく、球抜口１５は、カバー部材９内の球経路上に設けてもよい。
【産業上の利用可能性】
【００５４】
以上説明したとおり、遊技機用発射装置の球の発射に影響を与え難いようにすることで、該発射を安定して行えるようにすることができる遊技機用発射装置の球送り装置を提供することができる。
【００５５】
本願発明によれば、発射動作時に発射杵へ球送り部材を駆動するための抵抗がかからないため、発射杵の発射動作速度が安定し、球飛びが安定する。又、球送り装置は、発射モータと球送り部材をタイミングベルトを用いて連動させているため、安定したタイミングで遊技球を遊技球発射位置に送り出すことができる。
【図面の簡単な説明】
【００５６】
【図１】遊技機用発射装置の球送り装置における発射動作の動力伝達、及び球送り動作の動力伝達を模式的に示すブロック図。
【図２】本願発明が適用された実施形態の遊技機用発射装置の球送り装置を示す、取付けベース部材の表側より見た斜視図。
【図３】前記実施形態において、取付けベース部材の裏側より見た斜視図。
【図４】前記実施形態の球送り装置付近を拡大した斜視図。
【図５】前記実施形態において、取付けベース部材の表側の分解図。
【図６】同裏側の分解図。
【図７】前記実施形態における、打球の発射動作及び球送り動作の第１段階を示す正面図。
【図８】同第１段階を示す裏面図。
【図９】上記発射動作及び球送り動作の第２段階を示す正面図。
【図１０】同第２段階を示す裏面図。
【図１１】前記発射動作及び球送り動作の第３段階を示す正面図。
【図１２】同第３段階を示す裏面図。
【図１３】前記発射動作及び球送り動作の第４段階を示す正面図。
【図１４】同第４段階を示す裏面図。
【図１５】前記発射動作及び球送り動作の第５段階を示す正面図。
【図１６】同第５段階、及び、前記発射動作及び球送り動作の第６段階を示す裏面図。
【図１７】前記発射動作及び球送り動作の第６段階を示す正面図。
【図１８】前記実施形態における球抜き方法を説明するための球送り装置の斜視図。
【図１９】上記球抜き方法を説明するための遊技機用発射機構及び球送り装置の斜視図。
【符号の説明】
【００５７】
１…取付けベース部材
２…球送り装置
３…発射杵
４…発射杵回動軸
５…発射モータ
６…発射レール
７…遊技球発射位置
８…ハンドル固定台小ギヤ
９…カバー部材
１０…球止め面
１１…球抜口蓋
１２…緩衝ゴム
１３…球投入口
１４…球供給口
１５…球抜口
１６…第１ケーシング部材
１７…第２ケーシング部材
１８…カムころ
１９…捻りコイルばね
２０…発射カム
２１…ベルトプーリ
２２…球送り部材回動軸
２３…タイミングベルト
２４…中間ギヤ
２５…原点センサ
２６…球送り部材
２７…球受入部
【図１】
2007215580.tif 000003
【図２】
2007215580.tif 000004
【図３】
2007215580.tif 000005
【図４】
2007215580.tif 000006
【図５】
2007215580.tif 000007
【図６】
2007215580.tif 000008
【図７】
2007215580.tif 000009
【図８】
2007215580.tif 000010
【図９】
2007215580.tif 000011
【図１０】
2007215580.tif 000012
【図１１】
2007215580.tif 000013
【図１２】
2007215580.tif 000014
【図１３】
2007215580.tif 000015
【図１４】
2007215580.tif 000016
【図１５】
2007215580.tif 000017
【図１６】
2007215580.tif 000018
【図１７】
2007215580.tif 000019
【図１８】
2007215580.tif 000020
【図１９】
2007215580.tif 000021